【手続補正書】
【提出日】平成29年10月13日(2017.10.13)
【手続補正１】
【補正対象書類名】特許請求の範囲
【補正対象項目名】全文
【補正方法】変更
【補正の内容】
【特許請求の範囲】
【請求項１】
外科用器具グリップ（１２；１０２）と共に使用して電気外科用管状シャフト器具（１０；１００）を形成するための電気外科用管状シャフト（１４；１０４）であって、
前記管状シャフト（１４；１０４）が、管（２４）と、前記管状シャフト（１４；１０４）の遠位端に配置される電気外科用ツール（１８）と、前記ツール（１８）に電気的に接続されると共に前記管（２４）内を延びる少なくとも１つの電気的接続線（６８、７０）と、前記管状シャフト（１４；１０４）の近位端に配置される、前記器具グリップ（１２；１０２）の対応する少なくとも１つの連結要素（３７）と相互作用して前記器具グリップを前記管状シャフト（１４；１０４）に解放可能に連結するための少なくとも１つの連結要素（２８）と、電気エネルギー供給源用の電気的接続要素（８０）とを含み、該電気的接続要素（８０）が、前記少なくとも１つの接続線（６８、７０）の近位端に配置される管状シャフトにおいて、
前記管（２４）が、出口開口（７２）、該出口開口（７２）は前記少なくとも１つの連結要素（２８）の遠位に配置されると共に、該出口開口（７２）を通って前記少なくとも１つの接続線（６８、７０）は前記管（２４）から出る、を含むこと、
を特徴とする管状シャフト。
【請求項２】
請求項１に記載の管状シャフトであって、前記少なくとも１つの接続線（６８、７０）が、前記管（２４）の側面から、前記管（２４）により規定される方向に対して交差方向に出ること、を特徴とする管状シャフト。
【請求項３】
請求項１又は２に記載の管状シャフトであって、前記出口開口（７２）が、貫通開口（７２）、該貫通開口（７２）は前記管（２４）に形成されると共に、該貫通開口（７２）を通って前記少なくとも１つの接続線（６８、７０）が前記管（２４）から出る、であること、を特徴とする管状シャフト。
【請求項４】
請求項１〜３のいずれか１項に記載の管状シャフトであって、
前記管状シャフト（１４；１０４）が、前記器具グリップ（１２；１０２）の対応するスリーブ（３４、３６）内に挿入するための、前記管（２４）を収容するブッシング（２６）を含み、前記ブッシング（２６）が、近位端にて少なくとも１つの連結要素（２８）を含むこと、及び
貫通開口（７６）、該貫通開口（７６）を通って前記少なくとも１つの接続線（６８、７０）が導かれる、が前記ブッシング（２６）に形成されること、
を特徴とする管状シャフト。
【請求項５】
請求項１〜４のいずれか１項に記載の管状シャフトであって、前記管状シャフト（１４；１０４）が、前記少なくとも１つの接続線（６８、７０）を該接続線の前記管（２４）から出た区域にて包囲する、曲げに対して耐性がある又は可撓性がある外装（７８）を含むこと、を特徴とする管状シャフト。
【請求項６】
請求項１〜５のいずれか１項に記載の管状シャフトであって、前記管状シャフト（１４；１０４）が、両極性の電気外科用管状シャフト（１４；１０４）であり、前記ツール（１８）に電気的に接続される２つの電気的接続線（６８、７０）を含むこと、及び、好ましくは、共通の接続要素（８０）が設けられ、該接続要素（８０）が、両方の接続線（６８、７０）の近位端に配置されること、を特徴とする管状シャフト。
【請求項７】
請求項１〜６のいずれか１項に記載の管状シャフトであって、前記管状シャフト（１４；１０４）が、前記接続要素（８０）内に収納されると共に前記少なくとも１つの接続線（６８、７０）に電気的に接続される、少なくとも１つの接触部材（８２、８３）を含むこと、を特徴とする管状シャフト。
【請求項８】
請求項１〜７のいずれか１項に記載の管状シャフトであって、前記管状シャフト（１４；１０４）が、前記少なくとも１つの接続線（６８、７０）を前記器具グリップ（１２；１０２）に解放可能に固定するための少なくとも１つの結合要素（８４）を含むこと、を特徴とする管状シャフト。
【請求項９】
請求項８に記載の管状シャフトであって、前記接続要素（８０）が、結合要素（８４）含む又は形成すること、及び、好ましくは、前記結合要素（８４）が、前記接続要素（８０）と一体に形成されること、を特徴とする管状シャフト。
【請求項１０】
請求項８又は９に記載の管状シャフトであって、前記少なくとも１つの結合要素（８４）が、前記器具グリップ（１２）用の当接部材（８６）を、特に遠位端面に含む又は形成すること、を特徴とする管状シャフト。
【請求項１１】
請求項１〜１０のいずれか１項に記載の電気外科用管状シャフト（１４；１０４）と共に使用して電気外科用管状シャフト器具（１０；１００）を形成するための外科用器具グリップ（１２；１０２）であって、
前記管状シャフト（１４；１０４）の対応する少なくとも１つの連結要素（２８）と相互作用して前記管状シャフトを前記器具グリップ（１２；１０２）に解放可能に連結するための少なくとも１つの連結要素（３７）と、前記管状シャフト（１４；１０４）の前記少なくとも１つの接続線（６８、７０）を前記器具グリップ（１２；１０２）に解放可能に固定するための少なくとも１つの結合要素（４８）とを含む器具グリップにおいて、
前記少なくとも１つの結合要素（４８）が、前記器具グリップ（１２；１０２）の近位端に、特に前記器具グリップ（１２；１０２）の近位端面に配置されること、を特徴とする器具グリップ。
【請求項１２】
少なくとも１つの連結要素（３７）及び少なくとも１つの結合要素（４８）を有する外科用器具グリップ（１２；１０２）と、前記器具グリップ（１２；１０２）に解放可能に結合可能である請求項１〜１０のいずれか１項に記載の電気外科用管状シャフト（１４；１０４）とを含む電気外科用管状シャフト器具であって、
前記器具グリップ（１２；１０２）の前記少なくとも１つの連結要素（３７）が、前記管状シャフト（１４；１０４）の対応する少なくとも１つの連結要素（２８）と相互作用して前記管状シャフトを前記器具グリップ（１２；１０２）に解放可能に連結させ、且つ、
前記管状シャフト（１４；１０４）が、前記少なくとも１つの接続線（６８、７０）を前記器具グリップ（１２；１０２）に解放可能に固定するための少なくとも１つの結合要素（８４）を含み、該結合要素（８４）が、前記器具グリップ（１２；１０２）の相応に構築された前記少なくとも１つの結合要素（４８）と相互作用する、管状シャフト器具。
【請求項１３】
請求項１２に記載の管状シャフト器具であって、前記少なくとも１つの接続線（６８、７０）が、該接続線の前記管（２４）から出た区域に関して、軸方向の引張力及び／又は押込力を免れる又はほぼ免れるような寸法であること、を特徴とする管状シャフト器具。
【請求項１４】
請求項１２又は１３に記載の管状シャフト器具であって、前記少なくとも１つの接続線（６８、７０）の前記管（２４）から出た区域が、遠位から近位へと前記器具グリップ（１２；１０２）に沿って、軸方向で平行に延びること、を特徴とする管状シャフト器具。
【請求項１５】
請求項１２〜１４のいずれか１項に記載の管状シャフト器具であって、前記少なくとも１つの接続線（６８、７０）の前記管（２４）から出た区域が、前記ツール（１８）に作用を及ぼすための、前記器具グリップ（１２）の作動可能なグリップ要素（４０、４２）に沿って、軸方向に対して交差する方向に延びることを特徴とする管状シャフト器具。
【手続補正２】
【補正対象書類名】明細書
【補正対象項目名】００８４
【補正方法】変更
【補正の内容】
【００８４】
封鎖要素４４は近位端面では平面構成であると共に、把持軸３２に対して傾斜した当接部材６６を有する。当接部材６６により規定される平面が、穴軸４６と平行に延び、これも角度５８にて把持軸３２と交差する。
【手続補正３】
【補正対象書類名】明細書
【補正対象項目名】００９５
【補正方法】変更
【補正の内容】
【００９５】
接続要素８０は封鎖要素４４に当接するために当接部材８６を含むのであり、当接部材８６は平面構成であると共に接続要素８０の遠位端面に配置される。当接部材８６は、把持軸３２に対して傾斜した平面を規定する。傾斜した平面は穴軸５６と平行に整列し、当接部材６６により規定される平面と一致する（図７）。これらの当接部材が互いに結合される状態のとき、封鎖要素４４と接続要素８０とは当接部材６６及び８６を経由してフランジ様のやり方で互いに当接し、これによって互いに対する特別に規定された相対的配向を占めることができる。
【手続補正４】
【補正対象書類名】明細書
【補正対象項目名】００９８
【補正方法】変更
【補正の内容】
【００９８】
接続要素８０を封鎖要素４４に結合するために、突起８８は受け５２内に挿入することができる（図７）。頂部区域９４は盲穴５４に係合し、頚部区域９６は貫通開口６４に係合する。このようにして、信頼できる結合のために封鎖要素４４と接続要素８０との間にポジティブロック、及び力ロックが作り出されるのであり、当接部材６６及び８６が互いに接触することにより、軸方向相対的位置決めも確実にされる。突起８８及び受け５２は、３つの全空間方向において、把持軸３２に沿って軸方向及び把持軸に対して交差方向に、接続要素８０と封鎖要素４４とを互いの上で固締する。
【手続補正５】
【補正対象書類名】明細書
【補正対象項目名】００９９
【補正方法】変更
【補正の内容】
【００９９】
一致する穴軸５６及び突起軸９２が把持軸３２に対して傾斜しているおかげで、封鎖要素４４と接続要素８０との間に、突起８８と受け５２とのポジティブロックに加えてアンダカットが形成される。このようにして、封鎖要素４４及び接続要素８０は意図しない解放に抗して確実に固締される。